(57)【要約】  情報再生装置（１）は、コンテンツデータを再生する再生手段（１１）と、使用者の操作によって可動に構成され、コンテンツデータの再生に対して所定のイフェクトを付加する第１機能及びコンテンツデータの再生を任意の位置から開始するための開始位置を指定する第２機能の夫々を実現する際に用いられる操作手段（４１）と、操作手段において第１機能が実現されるか又は第２機能が実現されるかを切り替える切替手段（４３）と、操作手段によって指定された開始位置からコンテンツデータの再生を再生手段に実行させる再生制御手段（２０）とを備える。【特許請求の範囲】
【請求項１】
コンテンツデータを再生する再生手段と、
使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、
前記操作手段において前記第１機能が実現されるか又は前記第２機能が実現されるかを切り替える切替手段と、
前記操作手段によって指定された開始位置から前記コンテンツデータの再生を前記再生手段に実行させる再生制御手段と
を備えることを特徴とする情報再生装置。
【請求項２】
前記再生制御手段は、前記使用者による前記操作手段の操作が終了した後に、前記操作手段によって指定された開始位置から前記コンテンツデータの再生を前記再生手段に実行させることを特徴とする請求の範囲第１項に記載の情報再生装置。
【請求項３】
前記使用者による前記操作手段の操作が終了した後の、前記コンテンツデータの動作モードを指定する指定手段を更に備え、
前記再生制御手段は、前記指定手段により指定された前記動作モードで、前記再生手段の動作を制御することを特徴とする請求の範囲第１項に記載の情報再生装置。
【請求項４】
前記第２機能を実現するための前記操作手段の操作の終了を検出する検出手段を更に備え、
前記切替手段は、前記検出手段により前記第２機能を実現するための前記操作手段の操作の終了が検出された場合、前記操作手段において前記第１機能が実現されるように自動的に切り替えることを特徴とする請求の範囲第１項に記載の情報再生装置。
【請求項５】
前記コンテンツデータの再生位置情報を表示する表示手段を更に備えることを特徴とする請求の範囲第１項に記載の情報再生装置。
【請求項６】
前記操作手段において前記第２機能が実現されている場合に、前記表示手段は、前記操作手段の操作に応じた前記再生位置情報を表示することを特徴とする請求の範囲第５項に記載の情報再生装置。
【請求項７】
前記操作手段は、前記使用者の操作に伴って回転することを特徴とする請求の範囲第１項に記載の情報再生装置。
【請求項８】
コンテンツデータを再生する再生手段と、使用者の操作によって可動に構成され、コンテンツデータの再生に対して所定のイフェクトを付加する第１機能及び前記コンテンツデータの再生を任意の位置から開始するための開始位置を指定する第２機能の夫々を実現する際に用いられる操作手段を備える情報再生装置における情報再生方法であって、
前記回転操作手段において前記第１機能が実現されるか又は前記第２機能が実現されるかを切り替える切替工程と、
前記操作手段によって指定された開始位置から前記コンテンツデータの再生を前記再生手段に実行させる再生制御工程と
を備えることを特徴とする情報再生方法。
【請求項９】
コンテンツデータを再生する再生手段と、
使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、
前記操作手段によって指定された開始位置から前記コンテンツデータの再生を前記再生手段に実行させる再生制御手段と
を備えることを特徴とするＤＪ機器。
【請求項１０】
前記操作手段において前記第１機能が実現されるか又は前記第２機能が実現されるかを切り替える切替手段を更に備えることを特徴とする請求の範囲第８項に記載のＤＪ機器。
【請求項１１】
請求の範囲第１項に記載の情報再生装置に備えられたコンピュータを制御する再生制御用のコンピュータプログラムであって、該コンピュータを前記情報再生装置のうち少なくとも一部として機能させることを特徴とするコンピュータプログラム。
【発明の詳細な説明】
【技術分野】
【０００１】
本発明は、記録媒体に記録されている音情報や映像情報の再生を行うＤＪ機器、情報再生装置及び方法、並びにこのような情報再生装置に用いられるコンピュータプログラムに関する。
【背景技術】
【０００２】
近年、ＣＤやＤＶＤ等の、デジタル信号によるデータの記録及び再生が可能な記録媒体が普及している。それに伴って、デジタル信号に起因した特有の再生処理を行う情報再生装置も開発が進められている。例えば、ＣＤやＤＶＤには、一連の映像シーンや各楽曲（即ち、コンテンツデータ）が、相互に関連付けられて記録されている。例えば映画であれば、所定の再生時間を有する各映像シーンが、ＰＧＣ（Program Group Chain）やプレイリストによって指定される一連の再生シーケンスに従って再生されるように複数のデータ群として記録されている。例えば、音楽であれば、所定の再生時間を有する各楽曲が、トラック番号により区別された複数のデータ群として記録されている。このため、情報再生装置は、このような再生シーケンス等を用いることで、各映像シーンや各楽曲の先頭アドレスをサーチして再生する頭出し再生や、各映像シーンや各楽曲の再生順序を任意に変えるランダム再生等を行うことができる。【０００３】
一方で、コンテンツデータのビート密度を検出し表示する情報再生装置が開発されている（特許文献１及び２参照）。このようにビート密度を検出し且つ表示することで、コンテンツデータの特徴をユーザが比較的容易に把握することができ、その結果、所望の再生位置をユーザが指定することを容易とならしめている
【特許文献１】特開２００２−３４１８８８号公報
【特許文献２】特開２００２−３５２５６９号公報
【発明の開示】
【発明が解決しようとする課題】
【０００４】
しかしながら、このような従来の情報再生装置にあっては、コンテンツデータ内におけるユーザの所望する再生位置を好適に指定することができないという問題点を有している。即ち、上述の情報再生装置では、独立した通常の操作ボタン（例えば、夫々が独立して存在する早送りボタンや巻き戻しボタン等）を操作して再生位置を指定する必要があるため、速やかに好適な再生位置の指定を行うことができないという問題点を有している。
本発明が解決しようとする課題には上記のようなものが一例として挙げられる。本発明は、コンテンツデータ内におけるユーザの所望する再生位置を速やかに指定することを可能とならしめるＤＪ機器、情報再生装置及び方法、並びにコンピュータをこのような情報再生装置として実行させるコンピュータプログラムを提供することを課題とする。
【課題を解決するための手段】
【０００５】
（情報再生装置）
本発明の情報再生装置は上記課題を解決するために、コンテンツデータを再生する再生手段と、使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、前記操作手段において前記第１機能が実現されるか又は前記第２機能が実現されるかを切り替える切替手段と、前記操作手段によって指定された開始位置から前記コンテンツデータの再生を前記再生手段に実行させる再生制御手段とを備える。【０００６】
本発明の情報再生装置によれば、再生手段の動作により、例えば映像や音声等を含むコンテンツデータを再生することができる。【０００７】
コンテンツデータの再生の際には、当該情報再生装置の使用者は、操作手段を用いて操作を行うことができる。具体的には、操作手段を使用者自身が操作する（例えば、直接触れて動かす）ことで、コンテンツデータの再生に対して所定のイフェクトを付加する（即ち、第１機能を実現する）ことができたり、或いはコンテンツデータの再生を任意の位置から開始するための開始位置を指定する（即ち、第２機能を実現する）ことができる。操作手段を用いたユーザの操作が、第１機能を実現するための操作であるか又は第２機能を実現するための操作であるかは、切替手段によって切り替えられる。切替手段の動作により、操作手段の操作が第１機能を実現するための操作であるとされていれば、使用者は、操作手段を操作することで、コンテンツデータの再生に対して所定のイフェクトを付加することができる。一方、切替手段の動作により、操作手段の操作が第２機能を実現するものであるとされていれば、使用者は、操作手段を操作することで、コンテンツデータの再生を任意の位置から開始するための開始位置を指定することができる。コンテンツデータの再生を任意の位置から開始するための開始位置が指定されれば、再生制御手段の動作により、指定された開始位置からコンテンツデータの再生が開始される。【０００８】
このように、本発明に係る情報再生装置によれば、操作手段を用いて、任意の再生位置からコンテンツデータを再生することができる。その結果、使用者は、イフェクトを付加するための操作手段を用いて、好適に再生位置の指定を行うことができる。これにより、使用者は、コンテンツデータ内における所望する再生位置を好適に（例えば、迅速に）指定することができる。【０００９】
加えて、操作手段は、コンテンツデータに対して各種イフェクトを付加する第１機能に加えて、再生位置の指定を行う第２機能をも実現することができる。即ち、二つの機能を実現するために、情報再生装置は一つの操作手段を備えていれば足りる。従って、情報再生装置の構成を比較的簡易なものとすることができると共に、使用者の操作性の向上をはかることができるという利点を有する。【００１０】
本発明の情報再生装置の一の態様は、前記再生制御手段は、前記使用者による前記操作手段の操作が終了した後に、前記操作手段によって指定された開始位置から前記コンテンツデータの再生を前記再生手段に実行させる。【００１１】
この態様によれば、使用者が操作手段による操作を終了すれば、自動的に、指定された開始位置からコンテンツデータの再生が開始される。従って、使用者は、開始位置の指定後、改めて操作手段の動作の切替を指示する必要がない。このため、使用者の操作性の向上を図ることができる。【００１２】
本発明の情報再生装置の他の態様は、前記使用者による前記操作手段の操作が終了した後の、前記コンテンツデータの動作モードを指定する指定手段を更に備え、前記再生制御手段は、前記指定手段により指定された前記動作モードで、前記再生手段の動作を制御する。【００１３】
この態様によれば、使用者により開始位置が指定された後の、再生手段の動作を制御することができる。例えば、操作手段による開始位置の指定が終了してから、例えば即座に再生を開始する動作モードや、或いはポーズで待機する動作モードを指定できる。この場合、ポーズの解除（即ち再生の開始）は、いずれかのボタン押下や、ジョグダイヤル等の操作手段の何らかの操作により行えばよい。さらにはポーズで待機した後、一定時間経過後にに生を開始させる動作モードで再生手段を動作させるように制御してもよい。このように、多用な再生の態様を実現することができる。【００１４】
本発明の情報再生装置の他の態様は、前記第２機能を実現するための前記操作手段の操作の終了を検出する検出手段を更に備え、前記切替手段は、前記検出手段により前記第２機能を実現するための前記操作手段の操作の終了が検出された場合、前記操作手段において前記第１機能が実現されるように自動的に切り替える。【００１５】
この態様によれば、操作手段の動作が第２機能を実現するための動作に切り替えられている場合に、操作手段の操作の終了が検出されれば、操作手段の動作が第１機能を実現するための動作に自動的に切り替えられる。従って、使用者が改めて操作手段の動作を切り替える必要がない。より具体的には、使用者は、第２機能を実現する際に切替手段を用いて操作手段の動作の切り替えを行えば足りる。これにより、使用者の操作の負担を軽減することができ、開始位置を指定した後に、該開始位置から再生されたコンテンツデータに対して即座にイフェクトを付加することができる。従って、使用者の操作性の向上を図ることができる。【００１６】
本発明の情報再生装置の他の態様は、前記コンテンツデータの再生位置情報を表示する表示手段を更に備える。【００１７】
この態様によれば、表示手段の動作により、コンテンツデータの再生位置に関する情報である再生位置情報が表示される。より具体的には、現在再生の対象となっているコンテンツデータの再生時刻や経過時間や再生残時間等、或いは再生時間軸上における現在の再生位置等が再生位置情報として表示されてもよい。また、再生対象となっているコンテンツの音声のレベル等、コンテンツの持つ特徴を表示することにより、コンテンツ（例えば楽曲）の盛り上がり位置や低音域が充実している箇所等、特徴的な位置を認識し、それを位置指定に利用してもよい。これらにより、使用者は、コンテンツデータの再生に伴う再生位置の変化や、指定されている再生位置の前後のコンテンツの特徴情報を視覚的に認識した上で、操作手段を用いた再生位置の指定を行うことができる。これにより、使用者は、直接的且つ直感的にコンテンツデータ内における所望の再生位置を開始位置として指定することができる。【００１８】
本発明の情報再生装置によれば、前記操作手段において前記第２機能が実現されている場合に、前記表示手段は、前記操作手段の操作に応じた前記再生位置情報を表示する。【００１９】
この態様によれば、操作手段の操作に応じて、表示手段の表示を変えることができる。具体的には、例えば、操作手段の操作によって現在再生されている再生位置を表示させることができる。このとき、使用者が開始位置を指定するために操作手段を操作すれば、表示されている再生位置も、操作手段の操作に伴ってリアルタイムに早くなったり或いは遅くなったりする。これにより、使用者は、現在再生されている再生位置を、視覚を通じてより好適に認識することができる。【００２０】
本発明の情報再生装置の他の態様は、前記操作手段は、前記使用者の操作に伴って回転する。【００２１】
この態様によれば、例えばＤＪ（Disc Jockey）機器等に付随するＪＯＧダイヤルを上述の操作手段として用いることができる。このため、本発明に係る情報再生装置の操作性をより好適に向上させることができる。【００２２】
尚、本発明における「ＤＪ」とは、単に音楽のみならず、映像等をも含めた広い意味でのコンテンツデータを、特殊な技法を用いて再生する主体を示す趣旨である。【００２３】
（情報再生方法）
本発明の情報再生方法は上記課題を解決するために、コンテンツデータを再生する再生手段と、使用者の操作によって可動に構成され、コンテンツデータの再生に対して所定のイフェクトを付加する第１機能及び前記コンテンツデータの再生を任意の位置から開始するための開始位置を指定する第２機能の夫々を実現する際に用いられる操作手段を備える情報再生装置における情報再生方法であって、前記操作手段において前記第１機能が実現されるか又は前記第２機能が実現されるかを切り替える切替工程と、前記回転操作手段によって指定された開始位置から前記コンテンツデータの再生を前記再生手段に実行させる再生制御工程とを備える。【００２４】
本発明の情報再生方法によれば、上述した本発明の情報再生装置が有する各種利益と同様の利益を享受することが可能となる。【００２５】
尚、上述した本発明の情報再生装置における各種態様に対応して、本発明に係る情報再生方法も各種態様を採ることが可能である。【００２６】
（ＤＪ機器）
本発明のＤＪ機器は上記課題を解決するために、コンテンツデータを再生する再生手段と、使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、前記操作手段によって指定された開始位置から前記コンテンツデータの再生を前記再生手段に実行させる再生制御手段とを備える。【００２７】
本発明のＤＪ機器によれば、上述した本発明の情報再生装置と同様に、再生手段と、操作手段と、再生制御手段を備えている。従って、上述した本発明の情報再生装置と同様に、使用者は、コンテンツデータ内における所望する再生時刻を指定することができる。【００２８】
尚、上述した本発明の情報再生装置における各種態様に対応して、本発明に係るＤＪ機器も各種態様を採ることが可能である。【００２９】
本発明のＤＪ機器の一の態様は、前記回転操作手段において前記第１機能が実現されるか又は前記第２機能が実現されるかを切り替える切替手段を更に備える。【００３０】
この態様によれば、上述した本発明の情報再生装置と同様に、情報再生装置の構成を比較的簡易なものとすることができると共に、使用者の操作性の向上をはかることができるという利点を有する。【００３１】
（コンピュータプログラム）
本発明のコンピュータプログラムは上記課題を解決するために、上述した本発明の情報再生装置（但し、その各種態様を含む）に備えられたコンピュータを制御する再生制御用のコンピュータプログラムであって、該コンピュータを前記情報再生装置のうち少なくとも一部として機能させる。【００３２】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置を比較的簡単に実現できる。【００３３】
尚、上述した本発明の情報再生装置における各種態様に対応して、本発明のコンピュータプログラムも各種態様を採ることが可能である。【００３４】
コンピュータ読取可能な媒体内のコンピュータプログラム製品は上記課題を解決するために、上述した本発明の情報再生装置（但し、その各種態様を含む）に備えられたコンピュータにより実行可能なプログラム命令を明白に具現化し、該コンピュータを前記情報再生装置のうち少なくとも一部として機能させる。【００３５】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置を比較的容易に実施可能となる。更に具体的には、当該コンピュータプログラム製品は、上述した本発明の情報再生装置として機能させるコンピュータ読取可能なコード（或いはコンピュータ読取可能な命令）から構成されてよい。【００３６】
本発明のこのような作用及び他の利得は次に説明する実施例から明らかにされる。【００３７】
以上説明したように、本発明の情報再生装置及び方法によれば、再生手段、操作手段、切替手段及び再生制御手段、又は切替工程及び再生制御工程を備える。また、本発明のＤＪ機器によれば、再生手段、操作手段及び再生制御手段を備える。従って、コンテンツデータ内における使用者の所望する再生時刻を指定することができる。
【図面の簡単な説明】
【００３８】
【図１】本実施例に係る光ディスク再生装置の基本構成を概念的に示すブロック図である。
【図２】本実施例に係る光ディスク再生装置の特に操作部及び表示部を詳細に示す平面図である。
【図３】本実施例に係る光ディスク再生装置の動作の流れ（特に、クイックサーチに係る動作の流れ）を概念的に示すフローチャートである。
【図４】クイックサーチ時における表示部の表示の態様を概念的に示す平面図である。
【図５】変形例に係る光ディスク再生装置の基本構成を概念的に示すブロック図である。
【図６】変形例に係る光ディスク再生装置の動作の流れ（特に、クイックサーチに係る動作の流れ）を概念的に示すフローチャートである。
【符号の説明】
【００３９】
１  光ディスク再生装置
１０  光ピックアップ
１１  ＲＦアンプ
２０  システムコントローラ
４０  操作部
４１  ジョグダイヤル
４２  角速度検出部
４３  クイックサーチモードインボタン
５０  表示部
５１  プレイングアドレス
５２  ポインタ
６１  モード指定ボタン
【発明を実施するための最良の形態】
【００４０】
以下、本発明を実施するための最良の形態について実施例毎に順に図面に基づいて説明する。尚、以下の実施例は、再生速度制御、テンポ制御及び巻き戻し再生等に代表される各種再生機能を有するＣＤプレーヤないしはＤＶＤプレーヤ等の光ディスク再生装置に対して、本発明の情報再生装置を適用した場合の実施例である。また、以下に説明する本実施例に係る光ディスク再生装置は、クラブやディスコ等の舞踏場において、音楽データないしは映像データに対して様々な特殊効果（イフェクト）を付加しつつ連続的に再生する際に用いられるＤＪ機器として用いられる。【００４１】
（１）基本構成
初めに、図１及び図２を参照しながら、本実施例に係る光ディスク再生装置の基本構成について説明を進める。ここに、図１は、本実施例に係る光ディスク再生装置の基本構成を概念的に示すブロック図であり、図２は、本実施例に係る光ディスク再生装置の特に操作部及び表示部を詳細に示す平面図である。【００４２】
図１に示すように、光ディスク再生装置１は、光ピックアップ（ＰＵ：Pick Up）１０と、ＲＦ（Radio Frequency）アンプ１１と、スピンドルモータ１２と、サーボ機構１３と、ピックアップサーボ回路１４と、コンテンツデータデコード部１５と、復号化部１６と、コントロールデータデコード部１７と、スピンドルサーボ回路１８と、外部出力端子１９と、システムコントローラ２０と、操作部４０と、表示部５０とを備える。【００４３】
光ピックアップ１０は、光ディスク１００からコンテンツデータ及びコントロールデータを読み取るためのもので、半導体レーザ装置、各種レンズ、アクチュエータ等から構成される。より詳細には、光ピックアップ１０は、光ディスク１００に対してレーザ光ＬＢを、所定のパワーで照射する。また、光ディスク１００からのレーザ光ＬＢの反射光を受光するためのＰＤ（Photo Detector）センサを備えており、受光された反射光を読取信号としてＲＦアンプ１１へ出力する。【００４４】
光ピックアップ１０は、サーボ機構１３の制御により駆動される図示しないアクチュエータ、スライダ等により、トラッキングエラー信号に応じて光ディスク１００の半径方向等に移動できるように構成されている。加えて、サーボ機構１３の制御により、フォーカスエラー信号に応じてレーザ光ＬＢの焦点を変化させ、フォーカス制御可能に構成されている。【００４５】
ＲＦアンプ１１は、光ピックアップ１０から出力される読取信号に基づいてＲＦ信号を生成し、生成されたＲＦ信号を、コンテンツデータデコード部１５及びコントロールデータデコード部１７の夫々へ出力する。また、ＲＦアンプ１１は、光ピックアップ１０から出力される読取信号に基づいて、光ピックアップ１０が光ディスク１００へレーザ光ＬＢを照射する際のフォーカスを制御するためのフォーカスエラー信号及び光ピックアップ１０が光ディスク１００へレーザ光ＬＢを照射する際のトラッキングを制御するためのトラッキングエラー信号等の誤差信号を生成する。生成された誤差信号は、ピックアップサーボ回路１４へ出力される。【００４６】
スピンドルモータ１２は、スピンドルサーボ回路１８によりスピンドルサーボを受けつつ所定速度で光ディスク１００を回転させるように構成されている。【００４７】
サーボ機構１３は、ピックアップサーボ回路１４から出力されるトラッキングサーボ制御信号に基づいて、光ピックアップ１０を光ディスク１００の径方向に移動させる。また、ピックアップサーボ回路１４から出力されるフォーカスサーボ制御信号に基づいて、光ピックアップ１０に含まれる対物レンズを、レーザ光ＬＢの光軸に沿って移動させる。【００４８】
ピックアップサーボ回路１４は、ＲＦアンプ１１より出力される誤差信号に基づいて、サーボ機構１３を制御するためのフォーカスサーボ制御信号やトラッキングサーボ制御信号を生成する。生成されたフォーカスサーボ制御信号やトラッキングサーボ制御信号は、サーボ機構１３へ出力される。言い換えれば、フォーカスエラーやトラッキングエラーの発生を抑制すべく、ＲＦアンプ１１より出力される誤差信号に基づいて、サーボ機構１３をフィードバック制御する。【００４９】
コンテンツデータデコード部１５は、ＲＦアンプ１１より出力されるＲＦ信号をデコードすることで、映像ストリームや音声ストリームを含むストリーム信号を生成する。生成されたストリーム信号は、復号化部１６へ出力される。【００５０】
復号化部１６は、コンテンツデータデコード部１５より出力されるストリーム信号を復号化し、再生信号を生成する。生成された再生信号は、外部出力端子１９を介して、例えばディスプレイやスピーカ等の外部出力機器へ出力され、光ディスク１００に記録されているコンテンツデータに応じた映像や音声として再生される。【００５１】
尚、復号化部１６より出力される再生信号に対して所定の変調処理を施した後に、変調処理が施された再生信号を外部出力機器へ出力するように構成してもよい。より具体的には、例えば再生信号に対して鋸波による変調を施してもよいし、例えば再生信号に対して矩形波による変調を施してもよいし、例えば再生信号に対してドップラー効果を生じさせる変調を施してもよいし、例えば再生信号に対してジェット機音を模した特殊な波形による変調を施してもよいし、例えば再生信号に対して拳銃の発射音を模した特殊な波形による変調を施してもよいし、或いはユーザ等が予め設定しておいた様々な特殊な波形による変調を施してもよい。これらの変調は、操作部４０における図示しない操作キーをユーザが操作することで行われることが好ましい。【００５２】
コントロールデータデコード部１７は、ＲＦアンプ１１より出力されるＲＦ信号をデコードすることで、コンテンツデータの再生を制御するためのコントロールデータを生成する。コントロールデータは、例えば光ディスク１００のリードインエリアに記録されているＴＯＣデータ等や、ストリーム信号に含まれて記録される同期データや、コンテンツデータが再生される際の時間経過情報が含まれるサブコードデータ等が一具体例として挙げられる。生成されたコントロールデータは、システムコントローラ２０へ出力され、コンテンツデータの再生を制御するために用いられる。【００５３】
スピンドルサーボ回路１８は、システムコントローラ２０から指示されたスピンドルモータ１２の回転速度に対する同期データの誤差を検出し、その誤差の発生を抑制すべくスピンドルモータ１２の回転をフィードバック制御する。【００５４】
尚、上述した光ピックアップ１０と、ＲＦアンプ１１と、コンテンツデータデコード部１５と、復号化部１６等との組合せが、本発明の「再生手段」の一具体例を構成する。【００５５】
システムコントローラ２０は、本発明における「再生制御手段」の一具体例を構成しており、マイクロプロセッサ（ＭＰＵ）を備え、予め設定されているシステムプログラムを実行することにより、光ディスク再生装置１全体の動作を集中制御する。【００５６】
また、システムコントローラ２０には、操作部４０と、表示部５０とが接続されている。操作部４０に設けられている各種操作キーからの指示データは、システムコントローラ２０に出力され、システムコントローラ２０は、指示データに応じてコンテンツデータの再生を制御する。また、システムコントローラ２０は、表示部５０の表示動作を制御する。【００５７】
操作部４０は、ジョグダイヤル４１と、角速度検出部４２と、クイックサーチモード印ボタン４３を備えている。【００５８】
ジョグダイヤル４１は、本発明における「操作手段」の一具体例を構成しており、両方向に回転自在な円盤形状の操作キーである。ユーザ等がジョグダイヤル４１の回転方向と回転速度を適宜に変化させて操作すると、その回転方向に応じてフォワード再生とリバース再生を設定することができ、更に、その回転速度に応じて、スピーカやヘッドフォンで再生される再生音の音調を変化させることができるようになっている。【００５９】
尚、上記のフォワード再生とは、ＬＰ等のアナログレコードを順方向に回転させて音楽等を再生させた場合と同様に、光ディスク１００のコンテンツデータを、記録されている順に再生することを言う。したがって、ジョグダイヤル４１が時計回り方向に回転操作されるのに応じて、音楽等を通常の音として再生するようになっている。また、ジョグダイヤル４１が停止されているときにも、フォワード再生が行われるようになっている。【００６０】
一方、上記のリバース再生とは、アナログレコードを逆方向に回転させて音楽等を再生させた場合と同様に、光ディスク１００のコンテンツデータを、記録されている順とは逆の順番で再生することを言う。つまり、アナログレコードでは音楽等が連続記録（アナログ記録）されているため、アナログレコードを逆方向に回転させると、音楽等を逆の方向から再生することになって、本来の音楽等とは違った擬音が再生されることになるが、ジョグダイヤル４１が反時計回り方向に回転操作されると、光ディスク１００にデジタル記録されている個々のコンテンツデータを逆の順番で再生することにより、あたかもアナログレコードを逆方向に回転させて再生させた場合と同様の擬音を生じさせるようになっている。【００６１】
このようにアナログレコードをリバース再生するのと同様の機能を備えたことで、例えばユーザ等がジョグダイヤル４１を時計回り方向と反時計回り方向へ敏速に往復回転を繰り返すと、所謂スクラッチ音と呼ばれる擬音（「キュキュ」、「ガシャガシャ」等の擬音）を生じさせることができる。そして、所謂ディスクジョッキーと呼ばれる演奏者が、上記のスクラッチ音等を生じさせるべくジョグダイヤル４１を操作すると、ＣＤやＤＶＤを用いてラップ音楽等を生成するための編集を行うことが可能となっている。【００６２】
角速度検出部４２は、ジョグダイヤル４１の回転方向及び回転速度（角速度）を検出する。より具体的には、角速度検出部４２は、ロータリエンコーダ回路を備えており、ジョグダイヤル４１の回転方向及び回転速度を光学的に検出する。検出されたジョグダイヤル４１の回転方向及び回転速度は、システムコントローラ２０に出力される。これにより、システムコントローラ２０は、ユーザ等が操作したジョグダイヤル４１の操作量を認識し、その操作量に応じたイフェクト処理を行わせる。【００６３】
クイックサーチモードインボタン４３は、本発明における「切替手段」の一具体例を構成しており、ジョグダイヤル４１を用いたクイックサーチを実行する際に、ユーザにより押下される。より具体的には、クイックサーチモードインボタン４３が押下されていなければ、ジョグダイヤル４１の操作は、上述したフォワード再生やリバース再生やスクラッチを行うための指示とされる。他方で、クイックサーチモードインボタン４３が押下されていれば、ジョグダイヤル４１の操作は、クイックサーチを行うための指示とされる。【００６４】
尚、「クイックサーチ」とは、ジョグダイヤル４１を操作することで、コンテンツデータの再生を所望の位置から開始するための開始位置を指定する操作を示す趣旨である。例えば、ジョグダイヤル４１を時計回り方向に回転操作することで、コンテンツデータの再生時間軸と同じ方向に向かって（即ち、未来の時間に向かって）、ジョグダイヤル４１の回転角度に応じた時間が経過した再生時間（即ち、該再生時間に対応する再生位置）を開始位置として指定することができる。他方、例えば、ジョグダイヤル４１を反時計回りに回転操作することで、コンテンツデータの再生時間軸と逆の方向に向かって（即ち、過去の時間に向かって）、ジョグダイヤル４１の回転角度に応じた時間だけさかのぼった再生時間（即ち、該再生時間に対応する再生位置）を開始位置として指定することができる。【００６５】
特に、クイックサーチ時におけるジョグダイヤル４１の回転角度に応じた再生位置の経過量は、ジョグダイヤル４１をユーザが操作することで行われるフォワード再生やリバース再生等におけるそれよりも大きく設定されている。従って、クイックサーチを行えば、より迅速に所望の位置からのコンテンツデータの再生を行うことができる。【００６６】
尚、ジョグダイヤル４１の回転角度と再生位置の経過量との対応関係は、当該光ディスク再生装置１の製造時に、所定のテーブルや関数等を用いて予め定めるように構成してもよい。或いは、ユーザが適宜対応関係を指定するように構成してもよい。【００６７】
表示部５０は、本発明の「表示手段」の一具体例を構成しており、コンテンツデータの再生に伴う各種情報を表示する。表示部５０は、例えば液晶ディスプレイや蛍光管等の表示パネルを備えており、システムコントローラ２０の制御を受けて各種情報を表示する。【００６８】
図２にこの表示部５０の（更には、操作部４０の）より詳細な外観を示す。図２に示すように、表示部５０には、コンテンツデータの再生に応じた各種情報が表示されている。例えば、表示部５０の上段には、現在再生しているコンテンツデータのトラック番号や、現在再生しているコンテンツデータの経過時間（即ち、現在の再生時間）や、現在光ディスク再生装置１にローディングされている光ディスク１００に記録されているコンテンツデータの総トラック数等が表示される。図２に示す表示の例では、現在トラック番号３番のコンテンツデータが再生されており、再生開始から１分１５秒が経過し、更には光ディスク再生装置１にローディングされている光ディスク１００に記録されているコンテンツデータの総トラック数は“１６”であることを認識できる。【００６９】
表示部５０の中段には、再生時間軸に沿ったコンテンツデータのビート密度がウェーブ表示されている。或いは、現在再生されているコンテンツデータの周波数帯域毎の信号強度がウェーブ表示されていてもよい。【００７０】
表示部５０の下段には、現在再生の対象となっているコンテンツデータの全体の再生時間に対してまさに現在再生が行われている再生位置を示すポインタ５２を含むプレイングアドレス５１が表示されている。図２に示す表示の例では、現在再生の対象となっているコンテンツデータの全体の再生時間が３分であり、現在は再生開始から１分１５秒経過している（即ち、再生時間が１分１５秒であるデータ部分をまさに現在再生している）ことを認識できる。【００７１】
このポインタ５２は、コンテンツデータの再生に伴って、プレイングアドレス５１上を移動する。例えば、上述のフォワード再生では、コンテンツデータの再生に伴って、ポインタ５２は、図２中左側から右側へ向かって移動する。例えば、上述のリバース再生では、コンテンツデータの再生に伴って、ポインタ５２は、図２中右側から左側へ向かって移動する。例えば、上述のスクラッチ再生では、ポインタ５２は、ジョグダイヤル４１の操作量に応じて振動するように右側及び左側へ移動する。【００７２】
また、ポインタ５２は更に、クイックサーチ時において、コンテンツデータの再生を所望の位置から開始するための開始位置を指定する際のジョグダイヤル４１の操作に応じて、プレイングアドレス５１上を移動する。また、経過トラック時間も、コンテンツデータの再生を所望の再生位置から開始するための開始位置を指定する際のジョグダイヤル４１の操作に応じて変化する。即ち、ジョグダイヤル４１の操作によって再生時間軸上における何れの再生位置が指定されているかがポインタ５２や経過トラック時間により示される。その結果、ユーザは、このポインタ５２の位置や経過トラック時間の表示に基づいて、ジョグダイヤル４１の操作により指定されている再生位置を認識することができる。その再生位置を開始位置として指定する場合には、ジョグダイヤル４１の操作を終了し、他方その再生位置以外の再生位置を開始位置として指定する場合には、ポインタ５２や経過トラック時間が所望の再生位置を示すようにジョグダイヤル４１を更に操作することができる。【００７３】
尚、上述の説明では、説明の簡略化のため本来のＤＪ機器等が備える構成の一部を抜き出して記載している。従って、上述の説明以外の他の構成を有している光ディスク再生装置であっても、本発明の範囲に含まれることはいうまでもない。例えば、コンテンツデータの再生開始を指示するための再生ボタンや、コンテンツデータの再生の停止を指示するための停止ボタンや、コンテンツデータの再生速度を指示するテンポボタンやその他のボタン等を備えていてもよいことは言うまでもない。【００７４】
（２）動作説明
続いて、図３及び図４を参照しながら、本実施例に係る光ディスク再生装置１の動作原理について説明する。ここに、図３は、本実施例に係る光ディスク再生装置１の動作の流れ（特に、クイックサーチに係る動作の流れ）を概念的に示すフローチャートであり、図４は、クイックサーチ時における表示部５０の表示の態様を概念的に示す平面図である。【００７５】
図３に示すように、初めにクイックサーチモードインボタン４３が押下されているか否かが判定される（ステップＳ１０１）。【００７６】
ステップＳ１０１の判定の結果、クイックサーチモードインボタン４３が押下されていないと判定された場合（ステップＳ１０１：Ｎｏ）、クイックサーチは行われず、ユーザによるジョグダイヤル４１の操作は、上述のフォワード再生やリバース再生やスクラッチ再生のための指示とされる。即ち、コンテンツデータの通常再生が行われる（ステップＳ１０８）。【００７７】
他方、クイックサーチモードインボタン４３が押下されていると判定された場合（ステップＳ１０１：Ｙｅｓ）、続いて、ジョグダイヤル４１にユーザが例えば手を触れているか否かが判定される（ステップＳ１０２）。言い換えれば、例えば、ユーザがジョグダイヤル４１を操作しているか否かが判定される。尚、本実施例において、「ジョグダイヤル４１が操作されている」状態とは、必ずしもジョグダイヤル４１を回転させている必要はなく、単にユーザがジョグダイヤルに触れている（具体的には、ジョグダイヤル４１に設置されている接触センサが接触を感知する程度に触れている）状態を示す趣旨である。【００７８】
ステップＳ１０２の判定の結果、ジョグダイヤル４１にユーザの手等が触れていないと判定された場合（ステップＳ１０２：Ｎｏ）、コンテンツデータの通常再生が行われる（ステップＳ１０９）。【００７９】
他方、ジョグダイヤル４１にユーザの手等が触れていると判定された場合（ステップＳ１０２：Ｙｅｓ）、角速度検出部４２の動作により、ジョグダイヤル４１の回転角度が検出される（ステップＳ１０３）。続いて、ジョグダイヤル４１の回転角度に応じて、プレイングアドレス５１上のポインタ５２を移動させる（ステップＳ１０４）。より具体的には、例えばジョグダイヤル４１の１度の回転が、コンテンツデータの２秒の再生時間に相当すると仮定する。この場合、例えばユーザがジョグダイヤル４１を時計周りの方向に３０度回転させれば、プレイングアドレス５１上において、ポインタ５２を現在の位置よりも２秒×３０＝６０秒だけ進めた位置に表示させる。或いは、例えばユーザがジョグダイヤル４１を反時計周りの方向に２０度回転させれば、プレイングアドレス５１上において、ポインタ５２を現在の位置よりも２秒×２０＝４０秒だけさかのぼった位置に表示させる。また、このとき、経過トラック時間についても同様に表示が改められる。【００８０】
このジョグダイヤル４１の操作とプレイングアドレス５１上におけるポインタ５２の表示の態様（更には、経過トラック時間の表示の態様）について、図４を参照しながらより詳細に説明する。【００８１】
図４（ａ）に示すように、トラック番号が３番のコンテンツデータの再生開始から１分１５秒が経過した時点でクイックサーチモードインボタン４３が押下され、ジョグダイヤル４１が操作されたとする。ジョグダイヤル４１が操作されている間は、コンテンツデータの再生は進行することなく、外部出力端子１９を介した外部出力機器への再生信号の出力は行われないことが好ましい。【００８２】
このとき、図４（ｂ）に示すように、例えばユーザがジョグダイヤル４１を時計周りの方向に４５度回転させたとする。この場合、プレイングアドレス５１上において、ポインタ５２を現在の位置よりも２秒×４５＝９０秒だけ進めた位置に表示させる。即ち、プレイングアドレス５１上における２分４５秒の再生時間に対応する位置にポインタ５２を表示させる。また、表示部５０の上段に表示される経過トラック時間も、ジョグダイヤル４１の操作に合わせて、２分４５秒と表示される。【００８３】
このとき、ジョグダイヤル４１の操作に合わせて、ポインタ５２が左側から右側へ流れるように移動させながら表示することが好ましい。即ち、ジョグダイヤル４１の操作に合わせて、ポインタ５２もリニアにないしはリアルタイムに移動するように表示することが好ましい。【００８４】
再び図３において、ジョグダイヤル４１が未だ操作されているか否かが判定される（ステップＳ１０５）。【００８５】
ステップＳ１０５の判定の結果、ジョグダイヤル４１が未だ操作されていると判定された場合（ステップＳ１０５：Ｙｅｓ）、ユーザは、コンテンツデータの再生を所望の再生位置から開始するための開始位置を未だ指定している動作の途中である（即ち、クイックサーチを未だ行っている）と判定され、ステップＳ１０３へ戻り、上述したステップＳ１０３及びステップＳ１０４の動作を繰り返す。【００８６】
他方、ジョグダイヤル４１が操作されていない（即ち、ユーザがジョグダイヤル４１から手を離している）と判定された場合（ステップＳ１０５：Ｎｏ）、続いて、クイックサーチモードインボタン４３が未だ押下されているか否かが判定される（ステップＳ１０６）。【００８７】
ステップＳ１０６の判定の結果、クイックサーチモードインボタン４３が未だ押下されていると判定された場合（ステップＳ１０６：Ｙｅｓ）、ユーザは、コンテンツデータの再生を所望の再生位置から開始するための開始位置を未だ指定している動作の途中である（即ち、クイックサーチを行なっている）と判定され、ステップＳ１０３へ戻り、上述したステップＳ１０３からステップＳ１０５の動作を繰り返す。【００８８】
他方、クイックサーチモードインボタン４３が押下されていないと判定された場合（ステップＳ１０６：Ｎｏ）、ジョグダイヤル４１の操作によって指定された開始位置（即ち、ポインタ５２が示している再生位置）からコンテンツデータの再生が開始される（ステップＳ１０７）。【００８９】
以上説明したように、本実施例に係る光ディスク再生装置１によれば、ジョグダイヤル４１を用いて、所望の再生位置からコンテンツデータを再生することができる。特に、ジョグダイヤル４１の操作に応じて、表示部５０にはコンテンツデータの再生位置（即ち、ジョグダイヤル４１の操作によって指定されている再生位置）が例えばポインタ５２として表示されるため、ユーザはこれを視覚的に認識することができる。その結果、ユーザは、コンテンツデータの再生位置を視覚的に認識した上で、ジョグダイヤル４１を用いた所望の再生位置の指定を行うことができる。これにより、ユーザは、直接的に且つ直感的にコンテンツデータ内における所望する再生位置を指定することができる。【００９０】
加えて、本実施例によれば、フォワード再生やリバース再生やスクラッチ再生を行うために通常用いられるジョグダイヤル４１を用いて、クイックサーチを行うことができる。即ち、これらのサーチ処理を行う際に、ジョグダイヤル４１を兼用することができる。このため、光ディスク再生装置１は、クイックサーチを行うための操作ボタンを新たに設ける必要はなく、光ディスク再生装置１の構成を相対的に簡易なものとすることができる。加えて、ユーザが操作に慣れているジョグダイヤル４１を用いてクイックサーチを行うことができるため、ユーザの操作性に影響を与えることなく、クイックサーチという新たな機能を追加することができる。【００９１】
但し、直接的に且つ直感的にコンテンツデータ内における所望する再生位置を指定することができるという観点からは、フォワード再生やリバース再生やスクラッチ再生を行うためのジョグダイヤル（ないしは操作キー）と、クイックサーチを行うためのジョグダイヤル（ないしは、操作キー）との夫々を別個独立に設けるように構成してもよい。【００９２】
また、通常のフォワード再生等と比較して、所望の再生位置からのコンテンツデータの再生（いわば、コンテンツデータ中における所望の再生位置のサーチ）を素早く行うことができる。このため、コンテンツデータのあるポイントへの再生ポイントのジャンプを素早く行うことができるため、当該操作に係る時間を短縮することができ、その結果、ユーザの操作性を向上させることができる。【００９３】
また、本実施例によれば、表示手段５０には、コンテンツデータのビート密度等がウェーブ表示されているため、ユーザは、楽曲の盛り上がり位置等を比較的容易に把握することができる。このため、ユーザは、比較的容易に楽曲の盛り上がり位置等を開始位置として指定することができる。これにより、例えばコンテンツデータを再生している時の状況に応じて、楽曲中の盛り上がっている箇所を選択して再生したり、或いは静かな箇所を再生したりすることができる。【００９４】
尚、上述の実施例では、クイックサーチモードインボタン４３が押下されなくなった時点で、クイックサーチが終了したものと判定し、コンテンツデータの再生を開始している。即ち、クイックサーチを行うためには、クイックサーチモードインボタン４３を常に押下する必要がある。しかしながら、例えば、ユーザがジョグダイヤル４１を離した時点（即ち、ユーザがジョグダイヤル４１の操作を終了した時点であって、ジョグダイヤル４１の接触センサが接触を感知しなくなった時点）で、クイックサーチが終了したものと判定してもよい。即ち、クイックサーチモードインボタン４３の押下を、クイックサーチを開始するトリガとして扱い、ジョグダイヤル４１をユーザが離すことで、ジョグダイヤル４１によって指定された開始位置からコンテンツデータの再生を開始するように構成してもよい。このように構成すれば、クイックサーチの終了を指示するための煩雑なボタン操作を行う必要がないため、ユーザの操作性を向上させることができる。【００９５】
また、ジョグダイヤル４１によって指定された開始位置からコンテンツデータの再生を開始するために、クイックサーチモードインボタン４３を再度押下する（或いは、ＯＦＦに切り替える）ように構成してもよい。【００９６】
また、上述の実施例では、クイックサーチモードインボタン４３を別途設けているが、クイックサーチモードインボタン４３を別途設けることに加えて又は代えて、例えばジョグダイヤル４１の接触センサがクイックサーチモードインボタン４３の機能を実現するように構成してもよい。例えば、ジョグダイヤル４１を一定の条件で押下することで、接触センサが所定の信号を出力すれば、クイックサーチが開始されるように構成してもよい。このように構成すれば、ユーザは別途設けられるクイックサーチモードインボタン４３を操作することなく、片手でクイックサーチを行うことができる。このため、空いたもう片方の手で他の再生処理を実行することができる。これにより、ユーザの操作性の向上を図ることができると共に、より多様な再生処理を実現することが可能となる。【００９７】
また、コンテンツデータの再生位置の表示の態様も、図２に示した具体例に限定されないことは言うまでもない。即ち、コンテンツデータの再生に伴って或いはジョグダイヤル４１の操作に伴って、再生位置の表示を変化させることができれば足りる。【００９８】
（３）変形例
続いて、図５及び図６を参照して、本実施例に係る光ディスク再生装置の変形例について説明を進める。ここに、図５は、変形例に係る光ディスク再生装置２の基本構成を概念的に示すブロック図であり、図６は、変形例に係る光ディスク再生装置２の動作の流れ（特に、クイックサーチに係る動作の流れ）を概念的に示すフローチャートである。尚、変形例において、上述した光ディスク再生装置１と同様の構成及び動作については、同様の参照符号又はステップ番号を付して、その詳細な説明については省略する。【００９９】
図５に示すように、変形例に係る光ディスク再生装置２は、上述した光ディスク再生装置１と同様に、光ピックアップ（ＰＵ：Pick Up）１０と、ＲＦ（Radio Frequency）アンプ１１と、スピンドルモータ１２と、サーボ機構１３と、ピックアップサーボ回路１４と、コンテンツデータデコード部１５と、復号化部１６と、コントロールデータデコード部１７と、スピンドルサーボ回路１８と、外部出力端子１９と、システムコントローラ２０と、表示部５０とを備える。【０１００】
変形例に係る光ディスク再生装置２は特に、ジョグダイヤル４１、角速度検出部４２、クイックサーチモードインボタン４３、並びにＡモード指示ボタン６１ａ、Ｂモード指定ボタン６１ｂ及びＣモード指定ボタン６１ｃを有する操作部６０を備える。【０１０１】
Ａモード指示ボタン６１ａ、Ｂモード指定ボタン６１ｂ及びＣモード指定ボタン６１ｃの夫々は、本発明の「指定手段」の一具体例を構成しており、クイックサーチが終了した後の光ディスク再生装置１の動作の態様を指示するためのボタンである。例えば、クイックサーチが行われている間に、Ａモード指示ボタン６１ａ、Ｂモード指定ボタン６１ｂ及びＣモード指定ボタン６１ｃのいずれかを押下すれば、クイックサーチが終了した後、押下されたモード指示ボタンに応じた態様で光ディスク再生装置１が動作する。【０１０２】
例えば、Ａモード指示ボタン６１ａが押下されれば、クイックサーチが終了した後、所定時間再生を停止し（即ち、所定時間ポーズした後に）、ジョグダイヤル４１の操作により指定された開始位置から所望のコンテンツデータの再生が行われるように、光ディスク再生装置１が動作するように構成してもよい。或いは、Ｂモード指示ボタン６１ｂが押下されれば、クイックサーチが終了した後に、ユーザが設定した再生の態様で、ジョグダイヤル４１の操作により指定された開始位置から所望のコンテンツデータの再生が行われるように、光ディスク再生装置１が動作する。Ｃモード指示ボタン６１ｃにおいては、クイックサーチが終了した後、指定した位置で待機（ポーズ）するように構成してもよい。この場合、ポーズの解除（即ち再生）は、モード指定ボタンや、その他のボタンの押下、ジョグダイヤル４１等の何らかの操作により行えばよい。【０１０３】
続いて、このような変形例に係る光ディスク再生装置２の動作の流れについて説明する。図６に示すように、変形例に係る光ディスク再生装置２は、上述した光ディスク再生措置１と同様に、ステップＳ１０１からＳ１０６までの動作が行なわれる。【０１０４】
変形例に係る光ディスク再生装置２では特に、ステップＳ１０６における判定において、クイックサーチモードインボタン４３が押下されていないと判定された場合（ステップＳ１０６：Ｎｏ）、続いて、Ａモード指定ボタン６１ａ、Ｂモード指定ボタン６１ｂ及びＣモード指定ボタン６１ｃの何れかが押下されているか又は押下されたか否かが判定されている（ステップＳ２０１）。【０１０５】
ステップＳ２０１における判定の結果、Ａモード指定ボタン６１ａ、Ｂモード指定ボタン６１ｂ及びＣモード指定ボタン６１ｃの何れも押下されていないと判定された場合（ステップＳ２０１：Ｎｏ）、ジョグダイヤル４１の操作によって指定された開始位置（即ち、ポインタ５２が示している再生位置）からコンテンツデータの再生が開始される（ステップＳ１０７）。【０１０６】
他方、Ａモード指定ボタン６１ａ、Ｂモード指定ボタン６１ｂ及びＣモード指定ボタン６１ｃの何れかが押下されたと判定された場合（ステップＳ２０１：Ｙｅｓ）、上述したように、押下されたモード指示ボタンに応じた動作モードで、光ディスク再生装置１が動作する（ステップＳ２０２）。【０１０７】
このように、変形例に係る光ディスク再生装置２によれば、クイックサーチを終了した後の光ディスク再生装置１の動作の態様を任意に変えることができる。従って、より多様な態様でコンテンツデータの再生等を行うことができる。【０１０８】
本発明は、上述した実施例に限られるものではなく、請求の範囲及び明細書全体から読み取れる発明の要旨或いは思想に反しない範囲で適宜変更可能であり、そのような変更を伴なう情報再生装置及び方法、ＤＪ機器、並びにコンピュータプログラムもまた本発明の技術的範囲に含まれるものである。
【産業上の利用可能性】
【０１０９】
本発明に係る情報再生装置及び方法、ＤＪ機器、並びにコンピュータプログラムは、例えば、ＣＤやＤＶＤ等の記録媒体に記録されている音情報や映像情報の再生を行うＤＪ機器、情報再生装置に利用可能である。また、例えば民生用或いは業務用の各種コンピュータ機器に搭載される又は各種コンピュータ機器に接続可能なＤＪ機器、情報再生装置等にも利用可能である。
【図１】
2006104109.tif 000002
【図２】
2006104109.tif 000003
【図３】
2006104109.tif 000004
【図４】
2006104109.tif 000005
【図５】
2006104109.tif 000006
【図６】
2006104109.tif 000007
【手続補正書】
【提出日】平成19年1月26日(2007.1.26)
【手続補正１】
【補正対象書類名】特許請求の範囲
【補正対象項目名】全文
【補正方法】変更
【補正の内容】
【書類名】特許請求の範囲【請求項１】  コンテンツデータを再生する再生手段と、  使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、  前記操作手段において前記第１機能が実現されるか又は前記第２機能が実現されるかを切り替える切替手段と、  前記操作手段によって指定された開始位置から前記コンテンツデータの再生を前記再生手段に実行させる再生制御手段と  を備え、  前記第２機能が実現されている場合における、前記操作手段の操作量が規定する前記コンテンツデータの再生時間の経過量は、前記第１機能が実現されている場合における、前記操作手段の操作量が規定する前記コンテンツデータの再生時間の経過量よりも大きいことを特徴とする情報再生装置。【請求項２】  前記再生制御手段は、前記使用者による前記操作手段の操作が終了した後に、前記操作手段によって指定された開始位置から前記コンテンツデータの再生を前記再生手段に実行させることを特徴とする請求の範囲第１項に記載の情報再生装置。【請求項３】  前記使用者による前記操作手段の操作が終了した後の、前記コンテンツデータの動作モードを指定する指定手段を更に備え、  前記再生制御手段は、前記指定手段により指定された前記動作モードで、前記再生手段の動作を制御することを特徴とする請求の範囲第１項に記載の情報再生装置。【請求項４】  前記第２機能を実現するための前記操作手段の操作の終了を検出する検出手段を更に備え、  前記切替手段は、前記検出手段により前記第２機能を実現するための前記操作手段の操作の終了が検出された場合、前記操作手段において前記第１機能が実現されるように自動的に切り替えることを特徴とする請求の範囲第１項に記載の情報再生装置。【請求項５】  前記コンテンツデータの再生位置情報を表示する表示手段を更に備えることを特徴とする請求の範囲第１項に記載の情報再生装置。【請求項６】  前記操作手段において前記第２機能が実現されている場合に、前記表示手段は、前記操作手段の操作に応じた前記再生位置情報を表示することを特徴とする請求の範囲第５項に記載の情報再生装置。【請求項７】  前記操作手段は、前記使用者の操作に伴って回転することを特徴とする請求の範囲第１項に記載の情報再生装置。【請求項８】  コンテンツデータを再生する再生手段と、使用者の操作によって可動に構成され、コンテンツデータの再生に対して所定のイフェクトを付加する第１機能及び前記コンテンツデータの再生を任意の位置から開始するための開始位置を指定する第２機能の夫々を実現する際に用いられる操作手段を備える情報再生装置における情報再生方法であって、  前記回転操作手段において前記第１機能が実現されるか又は前記第２機能が実現されるかを切り替える切替工程と、  前記操作手段によって指定された開始位置から前記コンテンツデータの再生を前記再生手段に実行させる再生制御工程と  を備え、  前記第２機能が実現されている場合における、前記操作手段の操作量が規定する前記コンテンツデータの再生時間の経過量は、前���第１機能が実現されている場合における、前記操作手段の操作量が規定する前記コンテンツデータの再生時間の経過量よりも大きいことを特徴とする情報再生方法。【請求項９】  コンテンツデータを再生する再生手段と、  使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、  前記操作手段によって指定された開始位置から前記コンテンツデータの再生を前記再生手段に実行させる再生制御手段と  を備え、  前記第２機能が実現されている場合における、前記操作手段の操作量が規定する前記コンテンツデータの再生時間の経過量は、前記第１機能が実現されている場合における、前記操作手段の操作量が規定する前記コンテンツデータの再生時間の経過量よりも大きいことを特徴とするＤＪ機器。【請求項１０】  前記操作手段において前記第１機能が実現されるか又は前記第２機能が実現されるかを切り替える切替手段を更に備えることを特徴とする請求の範囲第８項に記載のＤＪ機器。【請求項１１】  請求の範囲第１項に記載の情報再生装置に備えられたコンピュータを制御する再生制御用のコンピュータプログラムであって、該コンピュータを前記情報再生装置のうち少なくとも一部として機能させることを特徴とするコンピュータプログラム。【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
コンテンツデータを再生する再生手段と、
使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、
前記操作手段において前記第１機能が実現されるか又は前記第２機能が実現されるかを切り替える切替手段と、
前記操作手段によって指定された開始位置から前記コンテンツデータの再生を前記再生手段に実行させる再生制御手段と
を備え、
前記第２機能が実現されている場合における、前記操作手段の操作量が規定する前記コンテンツデータの再生時間の経過量は、前記第１機能が実現されている場合における、前記操作手段の操作量が規定する前記コンテンツデータの再生時間の経過量よりも大きいことを特徴とする情報再生装置。
【請求項２】
前記再生制御手段は、前記使用者による前記操作手段の操作が終了した後に、前記操作手段によって指定された開始位置から前記コンテンツデータの再生を前記再生手段に実行させることを特徴とする請求の範囲第１項に記載の情報再生装置。
【請求項３】
前記使用者による前記操作手段の操作が終了した後の、前記コンテンツデータの動作モードを指定する指定手段を更に備え、
前記再生制御手段は、前記指定手段により指定された前記動作モードで、前記再生手段の動作を制御することを特徴とする請求の範囲第１項に記載の情報再生装置。
【請求項４】
前記第２機能を実現するための前記操作手段の操作の終了を検出する検出手段を更に備え、
前記切替手段は、前記検出手段により前記第２機能を実現するための前記操作手段の操作の終了が検出された場合、前記操作手段において前記第１機能が実現されるように自動的に切り替えることを特徴とする請求の範囲第１項に記載の情報再生装置。
【請求項５】
前記コンテンツデータの再生位置情報を表示する表示手段を更に備えることを特徴とする請求の範囲第１項に記載の情報再生装置。
【請求項６】
前記操作手段において前記第２機能が実現されている場合に、前記表示手段は、前記操作手段の操作に応じた前記再生位置情報を表示することを特徴とする請求の範囲第５項に記載の情報再生装置。
【請求項７】
前記操作手段は、前記使用者の操作に伴って回転することを特徴とする請求の範囲第１項に記載の情報再生装置。
【請求項８】
コンテンツデータを再生する再生手段と、使用者の操作によって可動に構成され、コンテンツデータの再生に対して所定のイフェクトを付加する第１機能及び前記コンテンツデータの再生を任意の位置から開始するための開始位置を指定する第２機能の夫々を実現する際に用いられる操作手段を備える情報再生装置における情報再生方法であって、
前記操作手段において前記第１機能が実現されるか又は前記第２機能が実現されるかを切り替える切替工程と、
前記操作手段によって指定された開始位置から前記コンテンツデータの再生を前記再生手段に実行させる再生制御工程と
を備え、
前記第２機能が実現されている場合における、前記操作手段の操作量が規定する前記コンテンツデータの再生時間の経過量は、前記第１機能が実現されている場合における、前記操作手段の操作量が規定する前記コンテンツデータの再生時間の経過量よりも大きいことを特徴とする情報再生方法。
【請求項９】
コンテンツデータを再生する再生手段と、
使用者の操作によって可動に構成され、前記コンテンツデータの再生に対して所定のイフェクトを付加する第１機能及び前記コンテンツデータの再生を任意の位置から開始するための開始位置を指定する第２機能の夫々を実現する際に用いられる操作手段と、
前記操作手段によって指定された開始位置から前記コンテンツデータの再生を前記再生手段に実行させる再生制御手段と
を備え、
前記第２機能が実現されている場合における、前記操作手段の操作量が規定する前記コンテンツデータの再生時間の経過量は、前記第１機能が実現されている場合における、前記操作手段の操作量が規定する前記コンテンツデータの再生時間の経過量よりも大きいことを特徴とするＤＪ機器。
【請求項１０】
前記操作手段において前記第１機能が実現されるか又は前記第２機能が実現されるかを切り替える切替手段を更に備えることを特徴とする請求の範囲第９項に記載のＤＪ機器。
【請求項１１】
請求の範囲第１項に記載の情報再生装置に備えられたコンピュータを制御する再生制御用のコンピュータプログラムであって、該コンピュータを前記情報再生装置のうち少なくとも一部として機能させることを特徴とするコンピュータプログラム。
【国際調査報告】
2006104109.tif 000008
2006104109.tif 000009